(57)【要約】【課題】脈波の検出精度が低下する可能性を低減する脈波検出装置を提供する。【解決手段】脈波検出装置１は、透光板２１、受光部２２３、及び圧力センサ２４を備えている。透光板２１は、第一面２１１と第一面２１１の反対側の第二面２１２とを有する。受光部２２３は、透光板２１に対して第一面２１１から第二面２１２に向かう第一方向側に配置される。圧力センサ２４は、受光部２２３の第一方向側に配置される。圧力センサ２４は、第二面２１２から第一面２１１に向かう第二方向側からの圧力を示す圧力信号を出力する。脈波検出装置１のＣＰＵは、受光部２２３によって受光された光に基づき、脈波を検出する。ＣＰＵは、圧力センサ２４から出力された圧力信号に基づき、圧力が所定範囲内であるか否かを判断し、判断結果を報知する。【選択図】図１
2015066160.tif 000002
【特許請求の範囲】
【請求項１】
第一面と前記第一面の反対側の第二面とを有する透光板と、
前記透光板に対して前記第一面から前記第二面に向かう第一方向側に配置され、前記第二面から前記第一面に向かう方向である第二方向側から前記透光板を介して入射する光を受光する受光部と、
前記第二方向側から前記透光板にかかる圧力を示す圧力信号を出力する圧力出力手段と、
前記受光部によって受光された光に基づき、脈波を検出する検出手段と、
前記圧力出力手段から出力された前記圧力信号に基づき、前記圧力が所定範囲内であるか否かを判断する判断手段と、
前記判断手段による判断結果を報知する報知手段と
を備えたことを特徴とする脈波検出装置。
【請求項２】
前記圧力出力手段は、基板の前記第一方向側の一面に設けられ、
前記受光部は、前記基板の前記第二方向側の一面に設けられることを特徴とする請求項１記載の脈波検出装置。
【請求項３】
前記第一方向に貫通する貫通孔を形成する孔部を備える筐体を備え、
前記孔部は、
前記第二方向側に位置し、前記第二方向に直交する直交方向の長さが第一長さである第一孔部と、
前記第一方向側に位置し、前記直交方向の長さが前記第一長さよりも短い第二長さである第二孔部と
を備え、
前記第一孔部の前記第二方向側の端部は、前記第一孔部の内部に位置する前記第一面が前記第二孔部の内部に移動することを規制する形状を有することを特徴とする請求項１又は２に記載の脈波検出装置。
【請求項４】
前記受光部の前記第一方向側に、弾性力を有する弾性部材が設けられたことを特徴とする請求項１から３のいずれかに記載の脈波検出装置。
【請求項５】
前記報知手段は、前記判断手段によって前記圧力が前記所定範囲内であると判断された場合に、前記圧力が前記所定範囲内であることを示す前記判断結果を報知することを特徴とする請求項１から４のいずれかに記載の脈波検出装置。
【請求項６】
前記報知手段は、前記判断手段によって前記圧力が前記所定範囲内でないと判断された場合に、前記圧力が前記所定範囲内でないことを示す前記判断結果を報知することを特徴とする請求項１から５のいずれかに記載の脈波検出装置。
【請求項７】
前記検出手段は、前記判断手段によって前記圧力が前記所定範囲内であると判断された期間に前記受光部において受光された光に基づき、前記脈波を検出することを特徴とする請求項１から６のいずれかに記載の脈波検出装置。
【請求項８】
前記検出手段によって検出された前記脈波に基づく生体情報を出力する出力手段を備えたことを特徴とする請求項１から７のいずれかに記載の脈波検出装置。
【発明の詳細な説明】
【技術分野】
【０００１】
本発明は、脈波を検出する脈波検出装置に関する。
【背景技術】
【０００２】
従来、脈波を検出する脈波検出装置が知られている。例えば、特許文献１に記載の脈波情報計測装置は、透光板、ＬＥＤ、及びフォトトランジスタを備えている。透光板は、ユーザの指が押し当てられる外側表面を備えている。フォトトランジスタとＬＥＤは、透光板の外側表面側とは反対側に配置されている。ユーザの指が透光板の外側表面に押し当てられた状態においてＬＥＤが光を照射すると、光は指の血管に到達する。血管に到達した光は、血液中のヘモグロビンによって一部が吸収され、一部が反射又は透過する。指の血流量は、脈拍に合わせて変化する。血流量が変化すると、ヘモグロビンの量が変化するので、反射光の強度が変化する。例えば、血流量が多いと、ヘモグロビンが多くなり、ヘモグロビンに吸収される光が多くなることが考えられる。よって、反射光の強度が小さくなる。一方、血流量が少ないと、ヘモグロビンの量が少なくなり、ヘモグロビンに吸収される光が少なくなることが考えらえる。よって、反射光の強度が大きくなる。脈波情報計測装置は、フォトトランジスタによって受光される反射光の強度の変化を検出して、脈拍数などを計測する。
【先行技術文献】
【特許文献】
【０００３】
【特許文献１】特開２００４−１８８２２４号公報
【発明の概要】
【発明が解決しようとする課題】
【０００４】
しかしながら、前記従来の脈波検出装置は、透光板と指との接触状態によって、脈波を正確に検出できない可能性がある。具体的には、指が透光板に強く押しつけられると、血管が押しつぶされ、血流量が低下する可能性がある。このため、血流量の低下により、脈波検出装置が脈波を正確に検出できない可能性がある。一方、指が透光板に弱く押されると、指が接触しない透光板の隙間から外乱光がフォトトランジスタに入射し易くなる。このため、外乱光に基づくノイズにより、脈波検出装置が脈波を正確に検出できない可能性がある。
【０００５】
本発明の目的は、脈波の検出精度が低下する可能性を低減する脈波検出装置を提供することである。
【課題を解決するための手段】
【０００６】
本発明に係る脈波検出装置は、第一面と前記第一面の反対側の第二面とを有する透光板と、前記透光板に対して前記第一面から前記第二面に向かう第一方向側に配置され、前記第二面から前記第一面に向かう方向である第二方向側から前記透光板を介して入射する光を受光する受光部と、前記第二方向側から前記透光板にかかる圧力を示す圧力信号を出力する圧力出力手段と、前記受光部によって受光された光に基づき、脈波を検出する検出手段と、前記圧力出力手段から出力された前記圧力信号に基づき、前記圧力が所定範囲内であるか否かを判断する判断手段と、前記判断手段による判断結果を報知する報知手段とを備えている。
【０００７】
透光板の第一面側にユーザの指が置かれると、圧力出力手段は、ユーザの指が透光板を押す圧力を示す圧力信号を出力する。判断手段は圧力信号に基づいてユーザの指が押す圧力が所定範囲内か否かを判断し、報知手段が判断結果を報知する。判断結果が報知されるので、判断結果が報知されない場合に比べて、ユーザは、透光板を所定範囲の圧力で押しているか否かを判断し易い。故に、ユーザは、透光板を押す圧力が所定範囲に入るように調整し易い。よって、例えば、所定範囲より大きい力で押して指の血管が押しつぶされ、血流量が低下し、脈波の検出精度が低下する可能性を低減できる。また、指が透光板を弱く押すことによる指が接触しない透光板の部位から外乱光が受光部に入射する可能性を低減する。故に、脈波の検出精度が低下する可能性を低減できる。
【０００８】
前記脈波検出装置において、前記圧力出力手段は、基板の前記第一方向側の一面に設けられ、前記受光部は、前記基板の前記第二方向側の一面に設けられてもよい。この場合、圧力出力手段は、受光部の第一方向側に配置されるので、圧力出力手段が、受光部が受光する光を遮らない。また、受光部及び圧力出力手段を１つの基板に設けることにより、脈波検出装置の製造が容易になる。
【０００９】
前記脈波検出装置は、前記第一方向に貫通する貫通孔を形成する孔部を備える筐体を備え、前記孔部は、前記第二方向側に位置し、前記第二方向に直交する直交方向の長さが第一長さである第一孔部と、前記第一方向側に位置し、前記直交方向の長さが前記第一長さよりも短い第二長さである第二孔部とを備え、前記第一孔部の前記第二方向側の端部は、前記第一孔部の内部に位置する前記第一面が前記第二孔部の内部に移動することを規制する形状を有してもよい。この場合、第一孔部の第二方向側の端部は、第一孔部の内部に位置する第一面が、第二孔部の内部に移動することを規制する形状を有する。この結果、第一面が第二孔部の内部に移動するほど、透光板が押圧される可能性が低減され、脈波の検出精度が低下する可能性を低減できる。
【００１０】
前記脈波検出装置において、前記受光部の前記第一方向側に、弾性力を有する弾性部材が設けられてもよい。透光板が指によって第一方向に押された時の圧力は、脈波検出装置が使用される度にばらつく。しかし、弾性部材が設けられているので、弾性部材が設けられていない場合に比べて、透光板が第一方向に押された時の圧力のばらつきを低減できる。故に、弾性部材が設けられていない場合に比べて、指と透光板とが接触する圧力が所定範囲内に入り易い。故に、脈波の検出精度が低下する可能性を低減できる。
【００１１】
前記脈波検出装置において、前記報知手段は、前記判断手段によって前記圧力が前記所定範囲内であると判断された場合に、前記圧力が前記所定範囲内であることを示す前記判断結果を報知してもよい。この場合、ユーザは、圧力が所定範囲内であることを示す判断結果が報知されない場合に比べて、透光板を押す圧力が所定範囲に入るように調整し易い。よって、脈波の検出精度が低下する可能性を低減できる。
【００１２】
前記脈波検出装置において、前記報知手段は、前記判断手段によって前記圧力が前記所定範囲内でないと判断された場合に、前記圧力が前記所定範囲内でないことを示す前記判断結果を報知してもよい。この場合、ユーザは、圧力が所定範囲内でないことを示す判断結果が報知されない場合に比べて、透光板を押す圧力が所定範囲に入るように調整し易い。よって、脈波の検出精度が低下する可能性を低減できる。
【００１３】
前記脈波検出装置において、前記検出手段は、前記判断手段によって前記圧力が前記所定範囲内であると判断された期間に前記受光部において受光された光に基づき、前記脈波を検出してもよい。この場合、圧力が所定範囲内ではないと判断された期間に受光部において受光された光を含んだ状態で脈波が検出される場合に比べて、脈波の検出精度が向上する。
【００１４】
前記脈波検出装置は、前記検出手段によって検出された前記脈波に基づく生体情報を出力する出力手段を備えてもよい。この場合、検出精度が向上した脈波に基づく生体情報が出力されるので、ユーザはより正確な生体情報を容易に確認することができる。
【図面の簡単な説明】
【００１５】
【図１】脈波検出装置１の要部の断面図である。
【図２】脈波検出装置１の電気的構成を示すブロック図である。
【図３】メイン処理のフローチャートである。
【図４】透光板２１と指５１とが離間した状態の第二実施形態に係る脈波検出装置２の要部の断面図である。
【図５】透光板２１が指５１に下方に押された状態の脈波検出装置２の要部の断面図である。
【図６】図５に示す状態よりさらに強く透光板２１が指５１に下方に押された状態の脈波検出装置２の縦断面図である。
【発明を実施するための形態】
【００１６】
＜１．脈波検出装置１の構造＞
本発明を具現化した第一実施形態について、図面を参照して説明する。図１及び図２を参照して脈波検出装置１の構造について説明する。以下の説明では、図１の上側、下側、右側、左側、表面側、及び裏面側を、夫々、脈波検出装置１の上側、下側、前側、後側、右側、及び左側とする。
【００１７】
図１に示すように、脈波検出装置１は、上筐体１１と下筐体１２とを有する。上筐体１１は、上面１１１と底面１１２とを有する。上筐体１１の上面１１１は、脈波検出装置１の上面を形成する。下筐体１２の底面１２１は、脈波検出装置１の底面を形成する。上筐体１１と下筐体１２とは、前後左右に延びる板状であり、前後左右の端部において互いに接続されている。このため、脈波検出装置１は、前後左右方向に長い直方体状の外観を有する。
【００１８】
上筐体１１には、円形孔部１１３と図示しない矩形孔部とが設けられている。矩形孔部は、例えば、上筐体１１の前部に設けられ、矩形状に上下に貫通する貫通孔を形成する。矩形孔部の内側には、透明な樹脂板が配置され、樹脂板の下方には、図２に示すディスプレイ３４が配置される。ユーザは、樹脂板を介してディスプレイ３４の表示を確認する。上筐体１１におけるディスプレイ３４の後側には、ユーザの操作を受け付ける図２に示す操作部３５が配置されている。
【００１９】
円形孔部１１３は、上筐体１１に設けられ、上筐体１１を円形状に上下に貫通する貫通孔を形成する。円形孔部１１３の内側には、透光板２１が配置されている。透光板２１は、上側の第一面２１１と、第一面２１１の反対側である下側の第二面２１２とを有する板状部材である。第一面２１１の上下方向の位置は、上筐体１１の上面１１１の上下方向の位置と略同じである。第二面２１２の上下方向の位置は、上筐体１１の上面１１１と底面１１２との間である。以下の説明では、第一面２１１から第二面２１２に向かう下方向を「第一方向」という場合があり、第二面２１２から第一面２１１に向かう上方向を「第二方向」という場合がある。
【００２０】
透光板２１の第一方向側には、フォトセンサ２２が設けられている。フォトセンサ２２は、フォトセンサ２２の第一方向側に配置された電気基板２３の上面に実装されている。フォトセンサ２２の側壁２２１の内側には、発光部２２２と受光部２２３とが設けられている。すなわち、発光部２２２と受光部２２３とは、電気基板２３の第二方向側に一面に設けられ、透光板２１の第一方向側に位置している。発光部２２２は、例えば、ＬＥＤ（Ｌｉｇｈｔ  Ｅｍｉｔｔｉｎｇ  Ｄｉｏｄｅ）である。受光部２２３は、例えば、フォトダイオードであり、第二方向側から透光板２１を介して入射する光を受光する。
【００２１】
電気基板２３の第一方向側の一面には、圧力センサ２４が配置されている。すなわち、圧力センサ２４は、受光部２２３の第一方向側に設けられている。圧力センサ２４の第一方向側には下筐体１２が設けられている。圧力センサ２４は、第二方向側からの圧力を示す圧力信号を出力する。
【００２２】
＜２．脈波検出装置１の電気的構成＞
図２を参照し、脈波検出装置１の電気的構成について説明する。脈波検出装置１は、ＣＰＵ３１、ＲＯＭ３２、ＲＡＭ３３、ディスプレイ３４、圧力センサ２４、及び操作部３５を備えている。ＲＯＭ３２、ＲＡＭ３３、ディスプレイ３４、圧力センサ２４、及び操作部３５は、夫々、ＣＰＵ３１に電気的に接続されている。ＣＰＵ３１は、脈波検出装置１の制御を行う。ＲＯＭ３２は、図３に示す後述するメイン処理を実行するための制御プログラム等を記憶する。ＲＡＭ３３は、各種データを一時的に記憶する。
【００２３】
ディスプレイ３４は、ＣＰＵ３１から出力される画像信号に基づく画像を表示する。圧力センサ２４は、圧力信号をＣＰＵ３１に出力する。操作部３５はユーザによる操作に応じた信号をＣＰＵ３１に出力する。操作部３５は、脈波検出装置１の電源をオンオフするための図示しない電源スイッチを含む。
【００２４】
脈波検出装置１は、フォトセンサ２２、電流電圧変換回路３６１、増幅回路３６２、及びＡ／Ｄ変換回路部３７を備えている。フォトセンサ２２の発光部２２２は、ＣＰＵ３１に電気的に接続されている。電流電圧変換回路３６１は、フォトセンサ２２の受光部２２３と増幅回路３６２とに電気的に接続されている。Ａ／Ｄ変換回路部３７は、増幅回路３６２とＣＰＵ３１とに電気的に接続されている。
【００２５】
発光部２２２は、ＣＰＵ３１からの制御信号に基づき発光する。発光部２２２が発した光６１は図１に示す指５１の血管５２に到達する。血管５２に到達した光６１は、血液中のヘモグロビン５３によって一部が吸収され、一部が反射又は透過する。指５１の血管５２の血流量は、脈拍に合わせて変化する。血流量が変化すると、ヘモグロビン５３の量が変化するので、反射光６２の強度が変化する。受光部２２３は、第二方向側から入射する反射光６２を受光する。受光部２２３を流れる電流は、受光部２２３が受光した反射光６２の受光強度に応じて変化する。電流電圧変換回路３６１は、受光部２２３を流れる電流の変化を電圧の変化として出力する。増幅回路３６２は、電流電圧変換回路３６１から出力された電圧を増幅する。Ａ／Ｄ変換回路部３７は、増幅回路３６２から出力された電圧を、アナログ信号からデジタル信号へ変換し、ＣＰＵ３１に出力する。ＣＰＵ３１は、Ａ／Ｄ変換回路部３７から出力されるデジタル信号に基づき、受光部２２３によって受光された光の強度を検出することができる。すなわち、受光部２２３に受光される反射光６２の強度は、脈波に応じて変化するので、ＣＰＵ３１は、Ａ／Ｄ変換回路部３７から出力されるデジタル信号に基づき脈波を検出することができる。
【００２６】
＜３．脈波検出装置１の処理の一例＞
図３を参照して、メイン処理について説明する。操作部３５の図示しない電源スイッチがオンされると、ＣＰＵ３１が動作を開始する。ＣＰＵ３１は、ＲＯＭ３２に記憶されている制御プログラムを読み出してＲＡＭ３３に展開し、メイン処理を実行する。
【００２７】
図３に示すように、ＣＰＵ３１は、圧力センサ２４の出力信号に基づき、圧力が所定範囲内であるか否かを判断する（Ｓ１）。所定範囲は、例えば、５０ｇｆ以上、５００ｇｆ以下の範囲である。なお、圧力センサ２４が出力する圧力信号は、透光板２１の第一面２１１側に置かれたユーザの指５１が第一方向に透光板２１を押す圧力によって変化する。圧力が所定範囲でない場合（Ｓ１：ＮＯ）、ＣＰＵ３１は、圧力が所定範囲内でないことを示す判断結果を、ディスプレイ３４に表示することによって報知する（Ｓ２）。Ｓ２では、ＣＰＵ３１は、圧力が所定範囲内でないことを示す判断結果をディスプレイ３４に報知させる信号をディスプレイ３４に出力する。この信号を入力したディスプレイ３４は、圧力が所定範囲内でないことを示す判断結果を表示する。例えば、「指で押す圧力が適正範囲ではありません。」などの文字が、判断結果としてディスプレイ３４に表示される。
【００２８】
圧力が適正範囲内である場合（Ｓ１：ＹＥＳ）、ＣＰＵ３１は、圧力が所定範囲内であることを示す判断結果を、ディスプレイ３４に表示することによって報知する(Ｓ３）。Ｓ３では、ＣＰＵ３１は、圧力が所定範囲内であることを示す判断結果をディスプレイ３４に報知させる信号をディスプレイ３４に出力する。この信号を入力したディスプレイ３４は、圧力が所定範囲内でないことを示す判断結果を表示する。例えば、「指で押す圧力が適正範囲です。」などの文字が、判断結果としてディスプレイ３４に表示される。次いで、ＣＰＵ３１は、受光部２２３において受光された反射光６２を含む光の強度と、圧力センサ２４の出力信号に基づく圧力とを所定時間の間測定する（Ｓ４）。所定時間は、例えば、１０秒である。なお、ＣＰＵ３１は、この所定時間内において所定間隔で測定した光の強度のデータと圧力のデータとを対応付けてＲＡＭ３３に記憶する。所定間隔は、例えば１秒である。
【００２９】
次いで、ＣＰＵ３１は、Ｓ４において所定時間測定した光の強度のデータと圧力のデータとを参照し、圧力が所定範囲内であると判断した期間に受光部２２３において受光された光に基づき、脈波を検出する（Ｓ５）。Ｓ５では、ＣＰＵ３１は、Ｓ４において測定した所定時間の圧力のデータについて、所定範囲内の圧力であるか否かを判断する。ＣＰＵ３１は、圧力が所定範囲内であると判断した期間における光の強度を特定する。ＣＰＵ３１は特定した光の強度に基づき、脈波を検出する。
【００３０】
次いで、ＣＰＵ３１は、Ｓ５において検出した脈波に基づき、生体情報を生成する（Ｓ６）。生体情報は、例えば、脈波の波形、血圧値、脈拍数、不整脈であるか否かの評価、又は血管年齢特性等である。血管年齢特性とは、年齢に応じて変化する血管５２の状態であり、例えば、血管５２の硬さである。ＣＰＵ３１は、周知の演算方法によって脈波から生体情報を生成する。なお、生成する生体情報は、複数種類であってもよいし、１種類であってもよい。
【００３１】
次いで、ＣＰＵ３１は、Ｓ６において生成した生体情報を出力する（Ｓ７）。本実施形態では、ＣＰＵ３１は、Ｓ６において生成した生成情報をディスプレイ３４に表示することによって出力する。次いで、ＣＰＵ３１は、メイン処理を終了する。
【００３２】
＜４．第一実施形態の主たる作用・効果＞
以上のように、本実施形態におけるメイン処理が実行される。圧力センサ２４が出力する圧力は、透光板２１の第一面２１１側に置かれたユーザの指５１が第一方向に透光板２１を押す圧力によって変化する。ＣＰＵ３１は、圧力センサ２４の出力信号に基づき、圧力が所定範囲内であるか否かを判断し（Ｓ１）、判断結果を報知する（Ｓ２及びＳ３）。判断結果が報知されるので、判断結果が報知されない場合に比べて、ユーザは、透光板２１を所定範囲の圧力で押しているか否かを判断し易い。故に、ユーザは、透光板２１を押す圧力が所定範囲に入るように調整し易い。よって、例えば、所定範囲より大きい力で押して指５１の血管が押しつぶされ、血流量が低下し、脈波の検出精度が低下する可能性を低減できる。また、指５１が透光板を弱く押すことによる指５１が接触しない透光板の部位から外乱光が受光部に入射する可能性を低減する。故に、脈波の検出精度が低下する可能性を低減できる。
【００３３】
圧力センサ２４は、受光部２２３の第一方向側に配置されるので、圧力センサ２４が受光部２２３が受光する光を遮らない。また、受光部２２３及び圧力センサ２４が１つの電気基板２３に設けられるので、別々に設けられる場合に比べて、脈波検出装置１の製造が容易になる。
【００３４】
また、ＣＰＵ３１は、圧力が所定範囲内であることを示す判断結果を報知する(Ｓ３）。このため、ユーザは、透光板２１を所定範囲の圧力で押していることを認識できる。故に、ユーザは、圧力が所定範囲内であることを示す判断結果が報知されない場合に比べて、透光板２１を押す圧力が所定範囲に入るように調整し易い。よって、脈波の検出精度が低下する可能性を低減できる。
【００３５】
また、ＣＰＵ３１は、圧力が所定範囲内でないことを示す判断結果を報知する（Ｓ２）。このため、ユーザは、透光板２１を所定範囲の圧力で押していないことを認識できる。故に、ユーザは、圧力が所定範囲内でないことを示す判断結果が報知されない場合に比べて、透光板２１を押す圧力が所定範囲に入るように調整し易い。よって、脈波の検出精度が低下する可能性を低減できる。
【００３６】
また、ＣＰＵ３１は、圧力が所定範囲内であると判断した期間に受光部２２３において受光された光に基づき、脈波を検出する（Ｓ５）。このため、圧力が所定範囲内ではないと判断された期間に受光部２２３において受光された光を含んだ状態で脈波が検出される場合に比べて、脈波の検出精度が向上する。また、Ｓ４において測定が行われる所定時間の間に、透光板２１が指５１によって押される圧力が変化しても、自動的に圧力が所定範囲内と判断された期間の脈波が検出される。よって、例えば、圧力が所定範囲から外れた場合に測定が中止される場合に比べて、ユーザの利便性が向上する。
【００３７】
また、ＣＰＵ３１は、生体情報を出力する（Ｓ７）。検出精度が向上した脈波に基づく生体情報が出力されるので、ユーザはより正確な生体情報を容易に確認することができる。また、本実施形態では、ＣＰＵ３０１は、圧力が所定範囲内であると判断した期間に受光部２２３において受光された光に基づき、脈波を検出して生体情報を生成し（Ｓ５及びＳ６）、生体情報を出力する（Ｓ７）。このため、脈波検出装置１は、圧力が所定範囲内ではないと判断された期間に受光部２２３において受光された光を含んだ状態で脈波が検出される場合に比べて、正確な生体情報を出力できる。
【００３８】
上記実施形態において、圧力センサ２４は本発明の「圧力出力手段」の一例である。電気基板２３は本発明の「基板」の一例である。Ｓ１の処理を行うＣＰＵ２１、及びＳ５において所定時間の圧力について、所定範囲内であるか否かを判断する処理を行うＣＰＵ２１は、本発明の「判断手段」の一例である。Ｓ５において、圧力が所定範囲内であると判断した期間における光の強度に基づき、脈波を検出する処理を行うＣＰＵ２１は、本発明の「検出手段」の一例である。Ｓ２及びＳ３の処理を行うＣＰＵ２１は、本発明の「報知手段」の一例である。Ｓ７の処理を行うＣＰＵ２１は本発明の「出力手段」の一例である。
【００３９】
なお、本発明は上記の実施形態に限定されるものではなく、種々の変更が可能である。例えば、ＣＰＵ３１は、Ｓ４において所定時間測定した光の強度のデータと圧力のデータとを参照し、圧力が所定範囲内であると判断した期間に受光部２２３において受光された光に基づき、脈波を検出する（Ｓ５）。しかし、Ｓ５において圧力が所定範囲内であるか否かを判断しなくてもよい。この場合でも、Ｓ１において圧力が所定範囲であると判断されたときに（Ｓ１：ＹＥＳ）、測定が行われているので（Ｓ４）、Ｓ１が実行されない場合に比べて、圧力が所定範囲に入っている可能性が高い。このため、Ｓ５において圧力が所定範囲内であるか否かを判断を行わず、Ｓ４において所定時間測定した全ての光の強度を参照して脈波を検出しても、Ｓ１が実行されない場合に比べて、脈波の検出精度が低下する可能性を低減できる。また、この場合、Ｓ４において圧力が測定されなくてもよい。
【００４０】
また、圧力が所定範囲であるか否かの判断結果が報知されるが（Ｓ２及びＳ３）、報知する態様は限定されない。例えば、表示されるメッセージが、圧力に応じて変化してもよい。例えば、圧力が最小値であれば、「透光板に指を載せてください。」と表示されてもよい。（Ｓ２）。また、圧力が所定範囲より小さければ、「もう少し強く押してください。」と表示されてもよい（Ｓ２）。また、圧力が所定範囲より大きければ、「押す力を弱めてください。」と表示されてもよい（Ｓ２）。また、圧力が所定範囲内であれば、「圧力が適正です。」、又は、「測定を開始します」と表示されてもよい（Ｓ３）。また、ディスプレイ３４に表示するのではなく、発光するＬＥＤを上筐体１１に設け、圧力が所定範囲内であれば、ＣＰＵ３１がＬＥＤを青色で発光させ（Ｓ３）、所定範囲でなければ、赤色で発光させてもよい（Ｓ２）。また、例えば、脈波検出装置１にブザーを設け、ＣＰＵ３１は、ブザーの音の違いで、所定範囲であるか否かを報知してもよい（Ｓ２及びＳ３）。また、脈波検出装置１に振動を発生する振動モータを設け、ＣＰＵ３１は、振動モータを振動させる間隔の違いで、所定範囲内であるか否かを報知してもよい（Ｓ２及びＳ３）。また、Ｓ２及びＳ３の一方だけが実行されてもよい。
【００４１】
また、ＣＰＵ３１は、Ｓ６において生成した生成情報をディスプレイ３４に表示することによって出力するが（Ｓ７）、他の方法によって出力してもよい。例えば、生体情報が不整脈であるか否かの評価である場合、ＣＰＵ３１は、不整脈である場合には赤色のＬＥＤを発光させ、不整脈でない場合には青色のＬＥＤを発光させることで、生体情報を出力してもよい。また、Ｓ７において生体情報が出力されなくてもよい。この場合、例えば、ＣＰＵ３１は、Ｓ５において検出した脈波、又は、Ｓ６において生成した生体情報を、他の機器に転送してもよい。また、発光部２２２の位置は限定されない。発光部２２２は、指５１に光を照射できればよく、例えば、透光板２１の右側又は左側にあってもよい。また、圧力センサ２４は、第二方向側から透光板２１に係る圧力を検出可能に設けられれば良く、位置は限定されない。例えば、底面１１２の第一方向側に圧力センサを配置し、透光板２１が押される圧力が圧力センサに伝達するようにしてもよい。また、メイン処理における各処理は、ＣＰＵ３１によって実行される例に限定されず、他の電子部品によって実行されてもよい。
【００４２】
＜５．第二実施形態に係る脈波検出装置２の構造＞
また、脈波検出装置１の構造は、上記第一実施形態に限られない。以下、第二実施形態に係る脈波検出装置２について説明する。以下の説明では、図４の上側、下側、右側、左側、表面側、及び裏面側を、夫々、脈波検出装置２の上側、下側、右側、左側、前側、後側とする。また、脈波検出装置１と同様の構成は同じ符号で示し、詳細の説明は省略する。また、図４に示す脈波検出装置２の要部以外の部位の構造は、脈波検出装置１と同様であるので、説明は省略する。以下の説明では、第二方向に直交する方向を「直交方向」という場合がある。
【００４３】
図４に示すように、脈波検出装置２は、上筐体４１と下筐体１２とを有する。上筐体４１の上面４１１は、脈波検出装置２の上面を形成する。上筐体４１には、円形孔部４１３が設けられている。
【００４４】
円形孔部４１３は、上筐体４１の後部に設けられ、上筐体４１を円形状に第一方向に貫通する貫通孔を形成する。円形孔部４１３は、第二方向側に位置する第一孔部４１３Ａと、第一方向側に位置する第二孔部４１３Ｂとを備える。第一孔部４１３Ａの側面は、第二方向に向かうほど、直交方向の長さが長くなるテーパ状に形成されている。第二孔部４１３Ｂは、上下方向に延びる。第一孔部４１３Ａの直交方向の中心と、第二孔部４１３Ｂの直交方向の中心とは、上側から見た場合に一致する。
【００４５】
円形孔部４１３における第一孔部４１３Ａの内側には、透光板２１が配置されている。透光板２１の第一面２１１は、第一孔部４１３Ａの内部に位置する。本実施形態では、第一面２１１の上下方向の位置は、上筐体４１の上面４１１の上下方向の位置より第一方向側である。第一孔部４１３Ａの第二方向側の端部４１４は、第一面２１１が第二孔部４１３Ｂの内部に移動することを規制する形状を有する。本実施形態では、第一孔部４１３Ａの第二方向側の端部４１４の直交方向の第一長さＬ１が、指５１の幅よりも短い。この第一長さＬ１を有する端部４１４に、指５１が当接することによって、第一面２１１が第二孔部４１３Ｂの内部に移動することを規制する。第一長さＬ１は、例えば、複数人の指５１の幅の平均値を特定し、平均値より短くなるように設定する。複数人の指５１の平均値は、例えば、１４．９ｍｍである。
【００４６】
第二孔部４１３Ｂにおける直交方向の第二長さＬ２は、第一長さＬ１より短い。第一孔部４１３Ａの第一方向側の端部には、平面４９が設けられている。平面４９は、直交方向の長さが異なる第一孔部４１３Ａと第二孔部４１３Ｂとを結ぶ平面であって、第二方向を向く面である。
【００４７】
図１に示す脈波検出装置１と同様に、透光板２１の第一方向側には、フォトセンサ２２、電気基板２３、及び圧力センサ２４設けられている。なお、図４におけるフォトセンサ２２の上下方向の長さは、図１におけるフォトセンサ２２の上下方向の長さより長いが、同じ長さであってもよい。また、図４において、フォトセンサ２２における受光部２２３は、発光部２２２の後側に位置する。
【００４８】
圧力センサ２４の第一方向側には、上下方向の弾性力を有する弾性部材５７が設けられている。弾性部材５７は、例えば、合成樹脂又はバネ等である。弾性部材５７の第一方向側には、下筐体１２が設けられている。
【００４９】
透光板２１の第一面２１１に指５１が置かれていない場合、又は、指５１が置かれても透光板２１を第一方向に押していない場合、図４に示すように、弾性部材５７が圧縮していない状態である。この場合、圧力センサ２４が出力する圧力信号が示す圧力は、所定範囲内ではない圧力となる。図３に示すように、ＣＰＵ３１は、圧力センサ２４の出力信号に基づき、圧力が所定範囲内でないと判断し（Ｓ１：ＮＯ）、所定範囲内でないことを報知する（Ｓ２）。
【００５０】
透光板２１が指５１に押されると、図５に示すように、弾性部材５７が圧縮し、透光板２１が第一方向に移動する。第一孔部４１３Ａの第二方向側の端部４１４は指５１に当接し、透光板２１の第一面２１１の上下方向の位置は、指５１に輪郭に沿った位置となる。この場合、圧力センサ２４が出力する圧力信号が示す圧力は、所定範囲内の圧力となる。図３に示すように、ＣＰＵ３１は、圧力センサ２４の出力信号に基づき、圧力が所定範囲内であると判断し（Ｓ１：ＹＥＳ）、Ｓ３〜Ｓ７の処理を実行する。
【００５１】
透光板２１がさらに強い力で下方に押されると、図６に示すように、弾性部材５７がさらに圧縮され、透光板２１が第一方向に移動する。第一孔部４１３Ａの第二方向側の端部４１４の第一長さＬ１が指５１の幅より小さいので、指５１の第一方向への移動が規制され、第一面２１１が第二孔部４１３Ｂの内部に移動することが規制される。図６に示す場合、指５１が、第一孔部４１３Ａの形状に沿って変形している。この場合、圧力センサ２４が出力する圧力信号が示す圧力は、所定範囲内ではない圧力となる。図３に示すように、ＣＰＵ３１は、圧力センサ２４の出力信号に基づき、圧力が所定範囲内でないと判断し（Ｓ１：ＮＯ）、所定範囲内でないことを報知する（Ｓ２）。
【００５２】
＜６．第二実施形態の主たる作用・効果＞
以上のように、本実施形態における脈波検出装置２が形成される。透光板２１が指５１によって第一方向に押された時の圧力は、脈波検出装置２が使用される度にばらつく。しかし、弾性部材５７が設けられているので、弾性部材５７が設けられていない場合に比べて、透光板２１が第一方向に押された時の圧力のばらつきを低減できる。故に、弾性部材５７が設けられていない場合に比べて、指５１と透光板２１とが接触する圧力が所定範囲内に入り易い。故に、脈波の検出精度が低下する可能性を低減できる。
【００５３】
第一孔部４１３Ａの第二方向側の端部４１４が、第一面２１１が第二孔部４１３Ｂの内部に移動することを規制するので、第一面２１１が第二孔部４１３Ｂの内部に移動するほど、透光板２１が押圧される可能性を低減できる。よって、例えば、所定範囲より大きい力で押して指５１の血管が押しつぶされ、血流量が低下し、脈波の検出精度が低下する可能性を低減できる。
【００５４】
さらに、本実施形態では、平面４９が設けられており、図６に示すように平面４９が指５１に当接し、第一面２１１の第一方向への移動を規制する。よって、第一面２１１が第二孔部４１３Ｂの内部に移動するほど、透光板２１が押圧される可能性をさらに低減できる。
【００５５】
ユーザが図５に示す位置まで、透光板２１を第一方向に押すと、第一孔部４１３Ａの第二方向側の端部４１４と、透光板２１とが指５１の輪郭に沿った状態となり、指５１の位置が安定する。指５１の位置が安定するので、ユーザがさらに透光板２１を第一方向に押す可能性を低減できる。よって、脈波の検出精度が低下する可能性を低減できる。
【００５６】
また、第一面２１１の上下方向の位置は、上筐体４１の上面４１１の上下方向の位置より第一方向側である。このため、例えば、上筐体４１の上面４１１側が机に接触した状態で机に載置された場合に、透光板２１の第一面２１１が机と接触しない。よって、透光板２１に傷が付くことを防止できる。また、第一面２１１の上下方向位置が上面４１１の上下方向位置より第二方向側にある場合に比べて、例えば、ユーザが脈波検出装置１を持ち運ぶ場合などに、他の物体が透光板２１に接触しにくい。故に、他の物体が透光板２１に接触することによる誤動作が発生する可能性を低減できる。
【００５７】
本実施形態において、上筐体４１は本発明の「筐体」の一例である。円形孔部４１３は本発明の「孔部」の一例である。なお、本発明は上記第二実施形態に限定されるものではなく、種々の変更が可能である。例えば、弾性部材５７は、受光部２２３より第一方向側にあればよい。例えば、図４において、弾性部材５７と圧力センサ２４との位置を互いに入れ替えてもよい。この場合、弾性部材５７は、電気基板２３と圧力センサ２４との間に位置する。圧力センサ２４を実装するための電気基板を圧力センサ２４と下筐体１２との間に設けてもよい。
【００５８】
また、弾性部材５７が設けられていたが、設けられていなくてもよい。第一孔部４１３Ａの第二方向側の端部４１４の形状は、第一面２１１が第二孔部４１３Ｂの内部に移動することを規制する形状であるのが望ましい。例えば、第一孔部４１３Ａの第二方向側の端部４１４を指５１の幅より大きくし、一部のみを、指５１に当接するように第一孔部４１３Ａの内側に突出させてもよい。
【００５９】
また、第一面２１１の上下方向の位置は、上筐体４１の上面４１１の上下方向の位置より第一方向側であったが、上筐体４１の上面４１１の上下方向の位置と同じ、又は、上筐体４１の上面４１１の上下方向の位置より第二方向側であってもよい。
【符号の説明】
【００６０】
１，２    脈波検出装置
１１，４１    上筐体
２１    透光板
２４    圧力センサ
５７    弾性部材
２１１    第一面
２１２    第二面
２２３    受光部
２２３    電気基板
４１３    円形孔部
４１３Ａ    第一孔部
４１３Ｂ    第二孔部
【図１】
2015066160.tif 000003
【図２】
2015066160.tif 000004
【図３】
2015066160.tif 000005
【図４】
2015066160.tif 000006
【図５】
2015066160.tif 000007
【図６】
2015066160.tif 000008